(57)【特許請求の範囲】
【請求項１】
第一のウィンドウおよび前記第一のウィンドウと異なる第二のウィンドウを同じ表示画面上に開いて表示するよう制御する表示制御装置であって、
前記第一のウィンドウにより表示された第一のファイル、および前記第二のウィンドウにより表示された第二のファイルのうち、いずれか一方を作業対象となるファイルとして特定するファイル特定部と、
前記ファイル特定部により特定された前記ファイルを表示する前記ウィンドウの表示面積を、前記ファイル特定部により特定されていない前記ファイルを表示する前記ウィンドウの表示面積よりも大きくして前記表示画面上に表示させるよう制御する表示制御部と、 前記第一のファイルの更新時、および前記第二のファイルの更新時を取得する更新時取得部とを備え、
前記ファイル特定部は、前記更新時取得部により取得された前記第一および第二のファイルのうち、更新時の新しい方である前記第一のファイルを前記作業対象となるファイルとして特定する、表示制御装置。
【請求項２】
第一のウィンドウおよび前記第一のウィンドウと異なる第二のウィンドウを同じ表示画面上に開いて表示するよう制御する表示制御装置であって、
前記第一のウィンドウにより表示された第一のファイル、および前記第二のウィンドウにより表示された第二のファイルのうち、いずれか一方を作業対象となるファイルとして特定するファイル特定部と、
前記ファイル特定部により特定された前記ファイルを表示する前記ウィンドウの表示面積を、前記ファイル特定部により特定されていない前記ファイルを表示する前記ウィンドウの表示面積よりも大きくして前記表示画面上に表示させるよう制御する表示制御部と、 前記第一のファイルのファイル名、および前記第二のファイルのファイル名を取得するファイル名取得部と、
前記ファイル名取得部により取得された前記ファイル名の中に番号が含まれているか否かを判断する番号有無判断部とを備え、
前記ファイル特定部は、前記番号有無判断部により前記ファイル名の中に番号が含まれていれば、前記番号の大きい方を前記作業対象となるファイルとして特定する、表示制御装置。
【請求項３】
前記表示制御部により大きく表示される前記ウィンドウの表示面積は、任意に定められる、請求項１または２に記載の表示制御装置。
【発明の詳細な説明】
【技術分野】
【０００１】
この発明は、表示制御装置に関するものである。
【背景技術】
【０００２】
コンピューターに接続され、ユーザーとのインターフェースとなるディスプレイは、コンピューター側から発信される情報やユーザーの入力内容を表示する。ここで、ディスプレイの表示画面には、クリックによりアプリケーションを立ち上げたり、ファイルやフォルダを開けたりするアイコンやツールバーが表示されている。アイコンをクリックすると、ウィンドウを開いて表示して、アプリケーションが立ち上がったり、ファイルやフォルダが開いたりする。
【０００３】
ここで、複数のウィンドウが開けられた際の表示に関する技術が、特開２００１−１９５１６８号公報（特許文献１）に開示されている。
【０００４】
特許文献１に開示の情報処理装置は、表示手段と、イベント発生ウィンドウ検出手段と、イベント発生回数計数手段と、ウィンドウ表示形態変更手段とを有する。表示手段は、複数のウィンドウを表示する。イベント発生ウィンドウ検出手段は、イベントが発生した表示手段に表示されたウィンドウを検出する。イベント発生回数計数手段は、イベント発生ウィンドウ検出手段が検出したウィンドウに対するイベント発生回数を計数する。ウィンドウ表示形態変更手段は、イベント発生回数計数手段が計数したイベント発生回数に応じてウィンドウの表示形態を変更する。
【先行技術文献】
【特許文献】
【０００５】
【特許文献１】特開２００１−１９５１６８号公報
【発明の概要】
【発明が解決しようとする課題】
【０００６】
表示画面に表示されたアイコンをクリックすると、作業領域となるウィンドウが開いて表示され、アプリケーションを立ち上げたり、ファイルやフォルダを開けることができる。複数のアイコンをクリックすると、複数のウィンドウが表示されることになる。このように複数のウィンドウを表示させてユーザーが作業を行うことは、一般的に広く用いられている手法である。
【０００７】
ここで、複数のウィンドウを表示させた場合において、ユーザーが作業を行うウィンドウについては、いずれか一方であることが多い。すなわち、いずれか一方の表示されたウィンドウのファイルにおいて、数値や文字を入力したりする。一方、他方の表示されたウィンドウのファイルについては、作業を行う際の閲覧用に単に表示させているだけに過ぎない場合が多い。
【０００８】
このような状況下において、作業を行うウィンドウについては、ウィンドウの大きさが大きい方が、作業を行いやすいものである。一方、閲覧用に単に表示させているだけのウィンドウについては、閲覧可能な程度の大きさであればよく、さほど大きな表示が求められないものである。ここで、ユーザーがその都度、各ウィンドウの大きさを調整するとなれば、大きさ調整の操作に要する作業が煩雑となり、結果としてユーザーの利便性が低下してしまうこととなる。
【０００９】
特許文献１に開示の技術では、イベントが発生したウィンドウのサイズを自動的に拡大することとしている。しかし、上記した状況に対し、特許文献１に開示の技術では、対応することが困難である。
【００１０】
この発明の目的は、ユーザーの利便性を向上することができる表示制御装置を提供することである。
【課題を解決するための手段】
【００１１】
この発明の表示制御装置は、第一のウィンドウおよび第一のウィンドウと異なる第二のウィンドウを同じ表示画面上に開いて表示するよう制御する。表示制御装置は、ファイル特定部と、表示制御部と、更新時取得部とを備える。ファイル特定部は、第一のウィンドウにより表示された第一のファイル、および第二のウィンドウにより表示された第二のファイルのうち、いずれか一方を作業対象となるファイルとして特定する。表示制御部は、ファイル特定部により特定されたファイルを表示するウィンドウの表示面積を、ファイル特定部により特定されていないファイルを表示するウィンドウの表示面積よりも大きくして表示画面上に表示させるよう制御する。更新時取得部は、第一のファイルの更新時、および第二のファイルの更新時を取得する。ファイル特定部は、更新時取得部により取得された第一および第二のファイルのうち、更新時の新しい方である第一のファイルを作業対象となるファイルとして特定する。
【発明の効果】
【００１２】
このような表示制御装置によると、作業対象となるファイルを特定して、ファイルを表示するウィンドウの表示面積を他のファイルを表示するウィンドウの表示面積よりも大きくして表示するよう制御している。そうすると、作業対象のファイルを表示するウィンドウにおいて、ユーザーは、作業しやすくなる。具体的には、例えば、入力作業や確認作業を行いやすくすることができる。したがって、このような表示制御装置は、ユーザーの利便性を向上することができる。
【図面の簡単な説明】
【００１３】
【図１】この発明の一実施形態に係る表示制御装置を含む表示システムの構成を示すブロック図である。
【図２】図１に示す表示制御装置を含むコンピューターの外観を示す図である。
【図３】アイコンが表示された表示画面の一例を示す図である。
【図４】この発明の一実施形態に係る表示制御装置を含む表示システムにおける表示画面の一例を示す図である。
【図５】この発明の他の実施形態に係る表示制御装置を含む表示システムにおける表示画面の一例を示す図である。
【図６】この発明の他の実施形態に係る表示制御装置を含む表示システムにおける表示画面の一例を示す図である。
【図７】この発明に係る表示制御装置を含む携帯端末装置の構成を示すブロック図である。
【発明を実施するための形態】
【００１４】
以下、この発明の実施の形態について説明する。図１は、この発明の一実施形態に係る表示制御装置を含む表示システムの構成を示すブロック図である。図２は、図１に示す表示制御装置を含むコンピューターの外観を示す図である。
【００１５】
図１および図２を参照して、表示システム１１は、表示制御装置１３を含むコンピューター１２と、表示画面１７を含むディスプレイ１４と、キーボード１５と、マウス１６とを備える。コンピューター１２は、ディスプレイ１４、キーボード１５、およびマウス１６のそれぞれと接続されている。
【００１６】
コンピューター１２は、コンピューター１２自身を制御するコンピューター制御部１８と、データを格納するハードディスク１９とを備える。ハードディスク１９には、種々のアプリケーションがインストールされている。また、ハードディスク１９には、種々のファイルのデータが格納されている。ディスプレイ１４は、コンピューター１２における情報の表示に際して、ユーザーへの出力のインターフェースとなる。すなわち、ディスプレイ１４の表示画面１７において、コンピューター１２における種々の情報を表示すると共に、ユーザーによる入力内容等を表示する。具体的には、表示画面１７には、クリックにより、アプリケーションを立ち上げたり、ファイルやフォルダを開けたりするアイコンやツールバー等が表示されている。
【００１７】
キーボード１５およびマウス１６は、ユーザーからコンピューター１２に対する入力のインターフェースとなる。すなわち、ユーザーは、ディスプレイ１４の表示画面１７に表示される内容を見て、キーボード１５およびマウス１６を用いて、コンピューター１２への動作の実行の命令の入力や数値データの入力等の操作を行う。
【００１８】
表示画面１７による表示を制御する表示制御装置１３は、コンピューター１２に備えられている。表示制御装置１３は、第一のウィンドウ、および第一のウィンドウと異なる第二のウィンドウを同じ表示画面１７上に開いて表示するよう制御する。
【００１９】
ここで、表示制御装置１３は、ファイル特定部２１と、表示制御部２２とを備える。ファイル特定部２１は、第一のウィンドウにより表示された第一のファイル、および第二のウィンドウにより表示された第二のファイルのうち、いずれか一方を作業対象となるファイルとして特定する。表示制御部２２は、ファイル特定部２１により特定されたファイルを表示するウィンドウの表示面積を、ファイル特定部２１により特定されていないファイルを表示するウィンドウの表示面積よりも大きくして表示画面１７上に表示させるよう制御する。また、表示制御装置１３は、更新時取得部２３をさらに備える。更新時取得部２３は、第一のファイルの更新時、および第二のファイルの更新時を取得する。ファイル特定部２１は、更新時取得部２３により取得された第一および第二のファイルのうち、更新時の新しい方である第一のファイルを作業対象となるファイルとして特定する。
【００２０】
図３は、アイコンが表示された表示画面１７の一例を示す図である。図３を参照して、表示画面１７には、第一のアイコン２４ａと、第二のアイコン２４ｂとが表示されている。ユーザーは、マウス１６によりカーソル２５を移動させてそれぞれのアイコン２４ａ、２４ｂをクリックする。第一のアイコン２４ａがクリックされると、ファイルＸが開き、第一のウィンドウが表示され、アプリケーションが立ち上がる。第二のアイコン２４ｂがクリックされると、ファイルＹが開き、第二のウィンドウが表示され、アプリケーションが立ち上がる。
【００２１】
ここで、ファイル特定部２１は、第一のウィンドウにより表示された第一のファイルＸ、および第二のウィンドウにより表示された第二のファイルＹのうち、いずれか一方を作業対象となるファイルとして特定する。この実施形態においては、更新時取得部２３は、第一のファイルＸの更新時、および第二のファイルＹの更新時を取得する。ファイル特定部２１は、更新時取得部２３により更新時を取得された第一のファイルＸ、および第二のファイルＹのうち、更新時の新しい方である第一のファイルＸを作業対象となるファイルとして特定する。
【００２２】
図４は、この発明の一実施形態に係る表示制御装置１３を含む表示システム１１における表示画面１７の一例を示す図である。図４を参照して、同じ表示画面１７において、第一のウィンドウ２６ａと、第二のウィンドウ２６ｂとが表示されている。第一のウィンドウ２６ａは、ファイルＸを開けたものである。第二のウィンドウ２６ｂは、ファイルＹを開けたものである。なお、ファイルＸの更新時、この場合は更新年月日であるが、２０１４年１２月１４である。また、ファイルＹの更新年月日は、２０１０年８月２９日である。更新時取得部２３は、これらの更新年月日の情報２７ａ、２７ｂをそれぞれ取得する。
【００２３】
表示制御部２２は、ファイル特定部２１により特定されたファイルＸを表示するウィンドウ２６ａの表示面積を、ファイル特定部２１により特定されていないファイルＹを表示するウィンドウ２６ｂの表示面積よりも大きくして表示画面１７上に表示させるよう制御する。この場合、ファイルＸがファイル特定部２１により特定されているため、ファイルＸを開く際に表示される第一のウィンドウ２６ａを、ファイル特定部２１により特定されていないファイルＹを表示する第二のウィンドウ２６ｂの表示面積よりも大きくして表示画面１７上に表示させるよう制御する。
【００２４】
なお、表示制御部２２により大きく表示される第一のウィンドウ２６ａの表示面積は、任意に定められる。この場合、第一のウィンドウ２６ａの表示面積は、表示画面１７の全面積に対して６０％の大きさである。一方、第二のウィンドウ２６ｂの表示面積は、表示画面１７の全面積に対して３０％の大きさである。それぞれのウィンドウ２６ａ、２６ｂの大きさについては、一方のウィンドウ２６ａの表示面積に対する他方のウィンドウ２６ｂの表示面積の割合で定められていてもよい。
【００２５】
この場合、第一のウィンドウ２６ａが表示された後、第二のウィンドウ２６ｂが表示されれば、この第二のウィンドウ２６ｂが表示される際に、更新時取得部２３によりそれぞれのファイルＸ、ファイルＹの更新時を取得する。そして、いずれが新しいかを判断してファイル特定部２１によりファイルを特定し、第一および第二のウィンドウ２６ａ、２６ｂのそれぞれの表示面積の大きさを変更して表示するよう制御する。
【００２６】
このような構成の表示制御装置１３によれば、作業対象となるファイルを特定して、ファイルＸを表示するウィンドウ２６ａの表示面積を他のファイルＹを表示するウィンドウ２６ｂの表示面積よりも大きくして表示するよう制御している。そうすると、作業対象のファイルを表示するウィンドウ２６ａにおいて、ユーザーが作業しやすくなる。具体的には、例えば、入力作業や確認作業を行いやすくすることができる。したがって、このような表示制御装置１３は、ユーザーの利便性を向上することができる。
【００２７】
この場合、ファイル特定部２１は、更新時取得部２３により、第一のファイルＸの更新時、および第二のファイルＹの更新時を取得し、更新時取得部２３により更新時が取得された第一のファイルＸ、および第二のファイルＹのうち、更新時の新しい方である第一のファイルＸを作業対象となるファイルとして特定しているため、よりユーザーの利便性を向上することができる。
【００２８】
また、上記の実施の形態においては、更新時の新しい方であるファイルを、ファイル特定部２１により特定することとしたが、以下の構成としてもよい。
【００２９】
図５は、この発明の他の実施形態に係る表示制御装置を含む表示システムの構成を示すブロック図である。なお、図５に示す表示システムのうち、図１に示す表示システム１１と同様の構成については、同一の符号を付してそれらの説明を省略する。
【００３０】
図５を参照して、表示システム３１は、表示制御装置３３を備える。表示制御装置３３は、ファイル名取得部３４と、番号有無判断部３５とを備える。ファイル名取得部３４は、第一のファイルのファイル名、および第二のファイルのファイル名を取得する。番号有無判断部３５は、ファイル名取得部３４により取得されたファイル名の中に番号が含まれているか否かを判断する。ファイル特定部２１は、番号有無判断部３５によりファイル名の中に番号が含まれていれば、番号の大きい方を作業対象となるファイルとして特定する。
【００３１】
図６は、この発明の他の実施形態に係る表示制御装置１３を含む表示システム３１における表示画面１７の一例を示す図である。図６を参照して、同じ表示画面１７において、第一のウィンドウ３６ａと、第二のウィンドウ３６ｂとが表示されている。第一のウィンドウ３６ａは、ファイルＺを開けたものである。第二のウィンドウ３６ｂは、ファイルＷを開けたものである。なお、ファイルＺのファイル名は、「１４−００３０２」である。また、ファイルＷのファイル名は、「１２−００５０１」である。ファイル名取得部３４は、これらのファイル名の情報３７ａ、３７ｂをそれぞれ取得する。
【００３２】
それぞれのファイル名には、番号が付されている。ファイル名取得部３４は、第一のファイルＺのファイル名「１４−００３０２」、および第二のファイルＷのファイル名「１２−００５０１」を取得する。番号有無判断部３５は、これらのファイルＺ、Ｗについて、番号が含まれていると判断する。ファイル特定部２１は、番号有無判断部３５によりファイル名の中に番号が含まれていれば、番号の大きい方を作業対象となるファイルとして特定する。この場合、番号の大きいファイルＺを、作業対象となるファイルとして特定する。
【００３３】
表示制御部２２は、ファイル特定部２１により特定されたファイルを表示するウィンドウの表示面積を、ファイル特定部２１により特定されていないファイルを表示するウィンドウの表示面積よりも大きくして表示画面１７上に表示させるよう制御する。この場合、ファイルＺがファイル特定部２１により特定されているため、ファイルＺを開く際に表示される第一のウィンドウ３６ａを、ファイル特定部２１により特定されていないファイルＷを表示する第二のウィンドウ３６ｂの表示面積よりも大きくして表示画面１７上に表示させるよう制御する。このように構成することによっても、ユーザーの利便性を向上することができる。
【００３４】
また、このような表示制御装置１３等は、コンピューター１２に接続されたディスプレイ１４の表示画面１７のみに限らず、例えば、スマートフォン等の携帯端末装置の表示を制御する際にも利用される。
【００３５】
図７は、この発明に係る表示制御装置を含む携帯端末装置の構成を示すブロック図である。図７を参照して、携帯端末装置４１は、携帯端末装置制御部４２と、ハードディスク４３と、表示画面４４と、表示制御装置４５とを備える。携帯端末装置制御部４２は、携帯端末装置４１自身を制御する。ハードディスク４３は、データを格納する。表示画面４４は、情報を表示する。表示画面４４には、アイコン等が表示される。
【００３６】
表示制御装置４５は、第一のウィンドウおよび第一のウィンドウと異なる第二のウィンドウを同じ表示画面１７上に開いて表示するよう制御する。表示制御装置４５は、ファイル特定部４６と、表示制御部４７とを備える。ファイル特定部４６は、第一のウィンドウにより表示された第一のファイル、および第二のウィンドウにより表示された第二のファイルのうち、いずれか一方を作業対象となるファイルとして特定する。表示制御部４７は、ファイル特定部４６により特定されたファイルを表示するウィンドウの表示面積を、ファイル特定部により特定されていないファイルを表示するウィンドウの表示面積よりも大きくして表示画面１７上に表示させるよう制御する。このような構成によっても、ユーザーの利便性を向上することができる。
【００３７】
今回開示された実施の形態および実施例はすべての点で例示であって、どのような面からも制限的なものではないと理解されるべきである。本発明の範囲は上記した説明ではなく、特許請求の範囲によって規定され、特許請求の範囲と均等の意味および範囲内でのすべての変更が含まれることが意図される。
【産業上の利用可能性】
【００３８】
この発明に係る表示制御装置は、ユーザーの利便性の向上が要求される場合に、特に有効に利用される。
【符号の説明】
【００３９】
１１，３１  表示システム、１２  コンピューター、１３，３３，４５  表示制御装置、１４  ディスプレイ、１５  キーボード、１６  マウス、１７，４４  表示画面、１８  コンピューター制御部、１９，４３  ハードディスク、２１，４６  ファイル特定部、２２，４７  表示制御部、２３  更新時取得部、２４ａ，２４ｂ  アイコン、２５  カーソル、２６ａ，２６ｂ，３６ａ，３６ｂ  ウィンドウ、２７ａ，２７ｂ，３７ａ，３７ｂ  情報、３４  ファイル名取得部、３５  番号有無判断部、４１  携帯端末装置、４２  携帯端末装置制御部。
【図１】
0006428682.tif 000002
【図２】
0006428682.tif 000003
【図３】
0006428682.tif 000004
【図４】
0006428682.tif 000005
【図５】
0006428682.tif 000006
【図６】
0006428682.tif 000007
【図７】
0006428682.tif 000008